【手続補正書】
【提出日】平成31年3月20日(2019.3.20)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第１の狭帯域領域と第２の狭帯域領域とを備えるキャリアを介して通信リンクを確立することと、
チャネル構成を識別することと、
前記第１の狭帯域領域のための第１のサブフレーム利用可能性と前記第２の狭帯域領域のための第２のサブフレーム利用可能性とを決定することと、ここにおいて、前記第１のサブフレーム利用可能性と前記第２のサブフレーム利用可能性とが、前記チャネル構成に少なくとも部分的に基づいて決定される、
前記第１のサブフレーム利用可能性に少なくとも部分的に基づいて前記第１の狭帯域領域を使用して、または前記第２のサブフレーム利用可能性に少なくとも部分的に基づいて前記第２の狭帯域領域を使用して通信することと
を備える、方法。
【請求項２】
前記チャネル構成が、前記キャリアの帯域幅よりも小さい帯域幅を有する基準信号構成であり、
前記基準信号構成が、測位基準信号構成、発見基準信号構成、１次同期信号（ＰＳＳ）構成、２次同期信号（ＳＳＳ）構成、物理ブロードキャストチャネル（ＰＢＣＨ）構成、またはそれらの任意の組合せを備える、請求項１に記載の方法。
【請求項３】
前記チャネル構成に少なくとも部分的に基づいて、前記第１の狭帯域領域のための後続のサブフレーム利用可能性を決定すること
をさらに備える、請求項１に記載の方法。
【請求項４】
前記第１のサブフレーム利用可能性を決定することは、
サブフレームがマシンタイプ通信（ＭＴＣ）のために利用可能であると決定すること、前記サブフレームがＭＴＣのために少なくとも部分的に利用不可能であると決定すること、または前記サブフレームの一部分がＭＴＣのために利用可能であると決定すること
を備える、請求項１に記載の方法。
【請求項５】
サブフレーム利用可能性の指示を受信すること
をさらに備え、ここにおいて、前記第１のサブフレーム利用可能性または前記第２のサブフレーム利用可能性が、前記受信された指示に少なくとも部分的に基づいて決定され、
前記指示が、帯域幅、繰返しパターン、および周期性をもつ１つまたは複数の基準信号の構成、または前記第２のサブフレーム利用可能性とは別々に前記第１のサブフレーム利用可能性を示す構成のうちの少なくとも１つである、請求項１に記載の方法。
【請求項６】
前記第１のサブフレーム利用可能性を決定することは、
第１の基準信号に少なくとも部分的に基づいて、サブフレームが前記第１の狭帯域領域のために利用可能であると決定すること
を備え、
ここにおいて、前記第２のサブフレーム利用可能性を決定することは、第２の基準信号に少なくとも部分的に基づいて、前記サブフレームが前記第２の狭帯域領域のために少なくとも部分的に利用不可能であると決定することを備え、
前記第１の基準信号がセル固有であり、前記第２の基準信号がユーザ機器（ＵＥ）固有である、請求項１に記載の方法。
【請求項７】
前記第１のサブフレーム利用可能性に少なくとも部分的に基づいて、送信時間間隔（ＴＴＩ）バンドリング構成がサブフレームを含むかどうかを決定すること
をさらに備える、請求項１に記載の方法。
【請求項８】
前記第１のサブフレーム利用可能性に少なくとも部分的に基づいて、送信時間間隔（ＴＴＩ）バンドリング構成を決定すること
をさらに備える、請求項１に記載の方法。
【請求項９】
前記第１のサブフレーム利用可能性に少なくとも部分的に基づいて、前記ＴＴＩバンドリング構成のための周波数ホッピング構成を識別すること
をさらに備える、請求項８に記載の方法。
【請求項１０】
スケジュールされたトラフィックがユニキャストであるのかブロードキャストであるのかを決定すること
をさらに備え、ここにおいて、前記第１のサブフレーム利用可能性は、前記スケジュールされたトラフィックがユニキャストであるのかブロードキャストであるのかに少なくとも部分的に基づいて決定される、
請求項１に記載の方法。
【請求項１１】
前記スケジュールされたトラフィックがブロードキャストトラフィックであると決定することと、ここにおいて、前記第１のサブフレーム利用可能性を決定することは、前記ブロードキャストトラフィックに少なくとも部分的に基づいて、サブフレームがマシンタイプ通信（ＭＴＣ）のために利用可能であると決定することを備える、
前記ブロードキャストトラフィックに少なくとも部分的に基づいて、前記スケジュールされたトラフィックをレートマッチングすることと
をさらに備える、請求項１０に記載の方法。
【請求項１２】
前記スケジュールされたトラフィックがユニキャストトラフィックであると決定すること、ここにおいて、前記第１のサブフレーム利用可能性を決定することは、前記ユニキャストトラフィックに少なくとも部分的に基づいて、サブフレームがマシンタイプ通信（ＭＴＣ）のために少なくとも部分的に利用不可能であると決定することを備える、または、
前記スケジュールされたトラフィックがブロードキャストトラフィックであると決定すること、ここにおいて、前記第１のサブフレーム利用可能性を決定することは、前記ブロードキャストトラフィックに少なくとも部分的に基づいて、サブフレームが狭帯域通信のために少なくとも部分的に利用不可能であると決定することを備える、
をさらに備える、請求項１０に記載の方法。
【請求項１３】
前記スケジュールされたトラフィックがユニキャストであるのかブロードキャストであるのかを決定することに少なくとも部分的に基づいて、周波数ホッピング構成を決定すること
をさらに備える、請求項１０に記載の方法。
【請求項１４】
ワイヤレス通信のための装置であって、
第１の狭帯域領域と第２の狭帯域領域とを備えるキャリアを介して通信リンクを確立するための手段と、
チャネル構成を識別するための手段と、
前記第１の狭帯域領域のための第１のサブフレーム利用可能性と前記第２の狭帯域領域のための第２のサブフレーム利用可能性とを決定するための手段と、ここにおいて、前記第１のサブフレーム利用可能性と前記第２のサブフレーム利用可能性とが、前記チャネル構成に少なくとも部分的に基づいて決定される、
前記第１のサブフレーム利用可能性に少なくとも部分的に基づいて前記第１の狭帯域領域を使用して、または前記第２のサブフレーム利用可能性に少なくとも部分的に基づいて前記第２の狭帯域領域を使用して通信するための手段と
を備える、装置。
【請求項１５】
ワイヤレス通信のためのコードを記憶する非一時的コンピュータ可読媒体であって、前記コードが、
第１の狭帯域領域と第２の狭帯域領域とを備えるキャリアを介して通信リンクを確立することと、
チャネル構成を識別することと、
前記第１の狭帯域領域のための第１のサブフレーム利用可能性と前記第２の狭帯域領域のための第２のサブフレーム利用可能性とを決定することと、ここにおいて、前記第１のサブフレーム利用可能性と前記第２のサブフレーム利用可能性とが、前記チャネル構成に少なくとも部分的に基づいて決定される、
前記第１のサブフレーム利用可能性に少なくとも部分的に基づいて前記第１の狭帯域領域を使用して、または前記第２のサブフレーム利用可能性に少なくとも部分的に基づいて前記第２の狭帯域領域を使用して通信することと
を行うために実行可能な命令を備える、
装置。
【手続補正２】
【補正対象書類名】明細書
【補正対象項目名】０１３１
【補正方法】変更
【補正の内容】
【０１３１】
[0140]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
以下に本願の出願当初の特許請求の範囲に記載された発明を付記する。
[Ｃ１]  ワイヤレス通信の方法であって、
第１の狭帯域領域と第２の狭帯域領域とを備えるキャリアを介して通信リンクを確立することと、
前記第１の狭帯域領域のための第１のサブフレーム利用可能性と前記第２の狭帯域領域のための第２のサブフレーム利用可能性とを決定することと、
前記第１のサブフレーム利用可能性に少なくとも部分的に基づいて前記第１の狭帯域領域を使用して、または前記第２のサブフレーム利用可能性に少なくとも部分的に基づいて前記第２の狭帯域領域を使用して通信することと
を備える、方法。
[Ｃ２]  チャネル構成を識別すること
をさらに備え、ここにおいて、前記第１のサブフレーム利用可能性と前記第２のサブフレーム利用可能性とが、前記チャネル構成に少なくとも部分的に基づいて決定される、
Ｃ１に記載の方法。
[Ｃ３]  前記チャネル構成が、前記キャリアの帯域幅よりも小さい帯域幅を有する基準信号構成である、Ｃ２に記載の方法。
[Ｃ４]  前記基準信号構成が、測位基準信号構成、発見基準信号構成、１次同期信号（ＰＳＳ）構成、２次同期信号（ＳＳＳ）構成、物理ブロードキャストチャネル（ＰＢＣＨ）構成、またはそれらの任意の組合せを備える、Ｃ３に記載の方法。
[Ｃ５]  前記チャネル構成に少なくとも部分的に基づいて、前記第１の狭帯域領域のための後続のサブフレーム利用可能性を決定すること
をさらに備える、Ｃ２に記載の方法。
[Ｃ６]  前記第１のサブフレーム利用可能性を決定することは、
サブフレームがマシンタイプ通信（ＭＴＣ）のために利用可能であると決定すること、前記サブフレームがＭＴＣのために少なくとも部分的に利用不可能であると決定すること、または前記サブフレームの一部分がＭＴＣのために利用可能であると決定すること
を備える、Ｃ１に記載の方法。
[Ｃ７]  前記第１のサブフレーム利用可能性が前記第２のサブフレーム利用可能性とは異なる、Ｃ１に記載の方法。
[Ｃ８]  サブフレーム利用可能性の指示を受信すること
をさらに備え、ここにおいて、前記第１のサブフレーム利用可能性または前記第２のサブフレーム利用可能性が、前記受信された指示に少なくとも部分的に基づいて決定される、Ｃ１に記載の方法。
[Ｃ９]  前記指示が、帯域幅、繰返しパターン、および周期性をもつ１つまたは複数の基準信号の構成、または前記第２のサブフレーム利用可能性とは別々に前記第１のサブフレーム利用可能性を示す構成のうちの少なくとも１つである、Ｃ８に記載の方法。
[Ｃ１０]  前記第１のサブフレーム利用可能性を決定することは、
第１の基準信号に少なくとも部分的に基づいて、サブフレームが前記第１の狭帯域領域のために利用可能であると決定すること
を備え、
ここにおいて、前記第２のサブフレーム利用可能性を決定することは、第２の基準信号に少なくとも部分的に基づいて、前記サブフレームが前記第２の狭帯域領域のために少なくとも部分的に利用不可能であると決定することを備える、
Ｃ１に記載の方法。
[Ｃ１１]  前記第１の基準信号がセル固有であり、前記第２の基準信号がユーザ機器（ＵＥ）固有である、Ｃ１０に記載の方法。
[Ｃ１２]  前記第１のサブフレーム利用可能性に少なくとも部分的に基づいて、送信時間間隔（ＴＴＩ）バンドリング構成がサブフレームを含むかどうかを決定すること
をさらに備える、Ｃ１に記載の方法。
[Ｃ１３]  前記第１のサブフレーム利用可能性に少なくとも部分的に基づいて、送信時間間隔（ＴＴＩ）バンドリング構成を決定すること
をさらに備える、Ｃ１に記載の方法。
[Ｃ１４]  前記第１のサブフレーム利用可能性に少なくとも部分的に基づいて、前記ＴＴＩバンドリング構成のための周波数ホッピング構成を識別すること
をさらに備える、Ｃ１３に記載の方法。
[Ｃ１５]  スケジュールされたトラフィックがユニキャストであるのかブロードキャストであるのかを決定すること
をさらに備え、ここにおいて、前記第１のサブフレーム利用可能性は、前記スケジュールされたトラフィックがユニキャストであるのかブロードキャストであるのかに少なくとも部分的に基づいて決定される、
Ｃ１に記載の方法。
[Ｃ１６]  前記スケジュールされたトラフィックがブロードキャストトラフィックであると決定することと、ここにおいて、前記第１のサブフレーム利用可能性を決定することは、前記ブロードキャストトラフィックに少なくとも部分的に基づいて、サブフレームがマシンタイプ通信（ＭＴＣ）のために利用可能であると決定することを備える、
前記ブロードキャストトラフィックに少なくとも部分的に基づいて、前記スケジュールされたトラフィックをレートマッチングすることと
をさらに備える、Ｃ１５に記載の方法。
[Ｃ１７]  前記スケジュールされたトラフィックがユニキャストトラフィックであると決定すること
をさらに備え、ここにおいて、前記第１のサブフレーム利用可能性を決定することは、前記ユニキャストトラフィックに少なくとも部分的に基づいて、サブフレームがマシンタイプ通信（ＭＴＣ）のために少なくとも部分的に利用不可能であると決定することを備える、
Ｃ１５に記載の方法。
[Ｃ１８]  前記スケジュールされたトラフィックがブロードキャストトラフィックであると決定すること
をさらに備え、ここにおいて、前記第１のサブフレーム利用可能性を決定することは、前記ブロードキャストトラフィックに少なくとも部分的に基づいて、サブフレームが狭帯域通信のために少なくとも部分的に利用不可能であると決定することを備える、
Ｃ１５に記載の方法。
[Ｃ１９]  システム帯域幅がしきい値よりも小さいと決定すること
をさらに備え、ここにおいて、前記第１のサブフレーム利用可能性を決定することは、前記システム帯域幅が前記しきい値よりも小さいと決定することに少なくとも部分的に基づいて、サブフレームがページングトラフィックのために少なくとも部分的に利用不可能であると決定することを備える、
Ｃ１に記載の方法。
[Ｃ２０]  前記スケジュールされたトラフィックがユニキャストであるのかブロードキャストであるのかを決定することに少なくとも部分的に基づいて、周波数ホッピング構成を決定すること
をさらに備える、Ｃ１５に記載の方法。
[Ｃ２１]  ワイヤレス通信のための装置であって、
第１の狭帯域領域と第２の狭帯域領域とを備えるキャリアを介して通信リンクを確立するための手段と、
前記第１の狭帯域領域のための第１のサブフレーム利用可能性と前記第２の狭帯域領域のための第２のサブフレーム利用可能性とを決定するための手段と、
前記第１のサブフレーム利用可能性に少なくとも部分的に基づいて前記第１の狭帯域領域を使用して、または前記第２のサブフレーム利用可能性に少なくとも部分的に基づいて前記第２の狭帯域領域を使用して通信するための手段と
を備える、装置。
[Ｃ２２]  チャネル構成を識別するための手段
をさらに備え、ここにおいて、前記第１のサブフレーム利用可能性と前記第２のサブフレーム利用可能性とが、前記チャネル構成に少なくとも部分的に基づいて決定される、
Ｃ２１に記載の装置。
[Ｃ２３]  サブフレーム利用可能性の指示を受信するための手段
をさらに備え、ここにおいて、前記第１のサブフレーム利用可能性または前記第２のサブフレーム利用可能性が、前記受信された指示に少なくとも部分的に基づいて決定される、Ｃ２１に記載の装置。
[Ｃ２４]  前記第１のサブフレーム利用可能性に少なくとも部分的に基づいて、送信時間間隔（ＴＴＩ）バンドリング構成がサブフレームを含むかどうかを決定するための手段
をさらに備える、Ｃ２１に記載の装置。
[Ｃ２５]  前記第１のサブフレーム利用可能性に少なくとも部分的に基づいて、ＴＴＩバンドリング構成を決定するための手段
をさらに備える、Ｃ２１に記載の装置。
[Ｃ２６]  スケジュールされたトラフィックがユニキャストであるのかブロードキャストであるのかを決定するための手段
をさらに備え、ここにおいて、前記第１のサブフレーム利用可能性は、前記スケジュールされたトラフィックがユニキャストであるのかブロードキャストであるのかに少なくとも部分的に基づいて決定される、
Ｃ２１に記載の装置。
[Ｃ２７]  ワイヤレス通信のための装置であって、
プロセッサと、
前記プロセッサと電子通信しているメモリと、
前記メモリに記憶され、前記プロセッサによって実行されたとき、前記装置に、
第１の狭帯域領域と第２の狭帯域領域とを備えるキャリアを介して通信リンクを確立することと、
前記第１の狭帯域領域のための第１のサブフレーム利用可能性と前記第２の狭帯域領域のための第２のサブフレーム利用可能性とを決定することと、
前記第１のサブフレーム利用可能性に少なくとも部分的に基づいて前記第１の狭帯域領域を使用して、または前記第２のサブフレーム利用可能性に少なくとも部分的に基づいて前記第２の狭帯域領域を使用して通信することと
を行わせるように動作可能な命令と
を備える、装置。
[Ｃ２８]  前記命令が、前記装置に、
チャネル構成を識別すること
を行わせるように動作可能であり、ここにおいて、前記第１のサブフレーム利用可能性と前記第２のサブフレーム利用可能性とが、前記チャネル構成に少なくとも部分的に基づいて決定される、
Ｃ２７に記載の装置。
[Ｃ２９]  前記命令が、前記装置に、
前記チャネル構成に少なくとも部分的に基づいて、前記第１の狭帯域領域のための後続のサブフレーム利用可能性を決定すること
を行わせるように動作可能である、Ｃ２８に記載の装置。
[Ｃ３０]  ワイヤレス通信のためのコードを記憶する非一時的コンピュータ可読媒体であって、前記コードが
第１の狭帯域領域と第２の狭帯域領域とを備えるキャリアを介して通信リンクを確立することと、
前記第１の狭帯域領域のための第１のサブフレーム利用可能性と前記第２の狭帯域領域のための第２のサブフレーム利用可能性とを決定することと、
前記第１のサブフレーム利用可能性に少なくとも部分的に基づいて前記第１の狭帯域領域を使用して、または前記第２のサブフレーム利用可能性に少なくとも部分的に基づいて前記第２の狭帯域領域を使用して通信することと
を行うために実行可能な命令を備える、装置。